(57)【要約】      （修正有）【課題】スペースを取らず、移動が容易で、簡便にロール製品から必要な長さのシートを切断した残余のシートが巻回された多数のロールを保管可能な保管具を提供する。【解決手段】シートを巻回したロールを着脱自在に係合させる筒状の複数のロール係合部材が板状部材に立設される。ロール係合部材は、所定の長さの円筒部と該円筒部一端の外縁に形成された円盤部とを有し、板状部材は、複数の穿孔を有するものであって、穿孔それぞれに円筒部それぞれを嵌挿させて板状部材の表面側に円筒部を突出させ、板状部材の裏面側に円盤部それぞれを当接させて立設されたロール係合部材の円筒部それぞれに、ロールを係合させる。【選択図】図１
0003165781.tif 000002
【実用新案登録請求の範囲】
【請求項１】
シートを巻回したロールを着脱自在に係合させる筒状の複数のロール係合部材が板状部材に立設されたことを特徴とするロール保管具。
【請求項２】
前記ロール係合部材は、所定の長さの円筒部と該円筒部一端の外縁に形成された円盤部とを有し、
前記板状部材は、複数の穿孔を有するものであって、該穿孔それぞれに前記円筒部それぞれを嵌挿させて該板状部材の表面側に該円筒部を突出させ、該板状部材の裏面側に前記円盤部それぞれを当接させて立設された前記ロール係合部材の該円筒部それぞれに、前記ロールを係合させることを特徴とする請求項１記載のロール保管具。
【請求項３】
前記複数の穿孔のうちの一の穿孔は、他の少なくとも一の穿孔と孔径が異なることを特徴とする請求項２記載のロール保管具。
【請求項４】
前記複数の穿孔は、孔径が同一であることを特徴とする請求項２記載のロール保管具。
【請求項５】
前記円盤部が形成された前記円筒部一端の外径は、他端の外径よりも大きいことを特徴とする請求項３又は４記載のロール保管具。
【請求項６】
前記円盤部が形成された前記円筒部一端の外径と他端の外径とは、同一であることを特徴とする請求項３又は４記載のロール保管具。
【請求項７】
前記円盤部は、前記板状部材の裏面側における前記穿孔の外縁に接着剤で接着されることを特徴とする請求項５又は６記載のロール保管具。
【請求項８】
前記円盤部は、前記円筒部と一体成型されたものであることを特徴とする請求項５から７のうちのいずれか１項記載のロール保管具。
【考案の詳細な説明】
【技術分野】
【０００１】
本考案は、フィルムや紙、繊維などを巻回したロールを保管するロール保管具に関するものである。
【背景技術】
【０００２】
看板・幕等の宣伝広告媒体を製作する現場や内装工事などを行う現場等においては、一定の長さのフィルムや紙、繊維などのシートを巻回したロール製品を購入し、そのロール製品から顧客の求めに応じた長さを切断し、使用するのが一般的である。その場合、色、模様、材質、幅の異なる様々な種類のシートが用いられることから、ロール製品から必要な長さのシートを切断した、長さがまちまちの残余のシートが巻回された多数のロールを保管する必要がある。
一般に、筒状物は、横に置くと転がりやすく、立てると不安定なため、保管、運搬するいろいろな方法が提案されている。例えば、パレットの底部に倒立Ｕ字状線材を設置し、それにロールを鉛直状に保持して搬送する方法（特許文献１参照）、ラックの本体に筒状の複数の凹部を設け、そこにビール缶を積み重ねるようにする方法（特許文献２参照）、パレットから筒状物が脱落して包装が破れないように、筒状物を挿脱可能な保持孔を穿孔したハニカム板で固定する方法（特許文献３参照）などが提案されている。また、プラスチックフィルム、シート、紙等、広幅の帯状のものを巻回したロール製品など、比較的長尺なロールを保管、運搬する際に、ロール製品が滑りやすいことから、そのロール製品を挟み、必要に応じてバンド掛けするためのプロテクタが提案されている（特許文献４参照）。
【先行技術文献】
【特許文献】
【０００３】
【特許文献１】実開平１−８１２２７号公報
【特許文献２】実開平５−６６２号公報
【特許文献３】実用新案登録第３０５２２６２号公報
【特許文献４】実用新案登録第２６０４９０７号公報
【考案の概要】
【考案が解決しようとする課題】
【０００４】
しかしながら、特許文献１において開示されたパレットの支持具は、フロン液で洗浄したときの液溜まりを防ぐために線条を用いるなど、構造が複雑で、コストがかかる。また、特許文献４において開示されたプロテクタは、ロール製品を複数積み上げて運搬、保管する際には好適であるが、ロール製品から必要な長さのシートを切断した残余のシートが巻回された多数のロールを保管する際にはスペースの無駄が多い。
上記事情に鑑み、本考案は、スペースを取らず、移動が容易で、長さがまちまちの残余のシートが巻回された多数のロールを簡便に保管することができるロール保管具を提供することを目的とする。
【課題を解決するための手段】
【０００５】
本考案のロール保管具は、シートを巻回したロールを着脱自在に係合させる筒状の複数のロール係合部材が板状部材に立設されたことを特徴とし、上記ロール係合部材は、所定の長さの円筒部と該円筒部一端の外縁に形成された円盤部とを有し、上記板状部材は、複数の穿孔を有するものであって、該穿孔それぞれに上記円筒部それぞれを嵌挿させて該板状部材の表面側に該円筒部を突出させ、該板状部材の裏面側に上記円盤部それぞれを当接させて立設された上記ロール係合部材の該円筒部それぞれに、上記ロールを係合させることを特徴とする。
このように、板状部材に筒状の複数のロール係合部材を立設させておけば、ロールを着脱自在に係合させて保管することができる。また、ロール係合部材に、円筒部と円盤部とを形成し、その円盤部を板状部材の裏面側に当接させれば、係合部材は板状部材にしっかりと固定される。また、板状部材の穿孔径を円筒部一端の外径に合わせて任意に設定すれば、様々な筒径のロールを保管することができる。
その場合、上記複数の穿孔のうちの一の穿孔は、少なくとも他の一の穿孔と孔径が異なることにしてもよく、あるいは上記複数の穿孔は、孔径が同一であることにしてもよい。また、上記鍔状部が形成された上記円筒部の一端における外径は、他端における外径よりも大きくしてもよいし、あるいは上記鍔状部が形成された上記円筒部の一端における外径と他端における外径は、同一であることにしてもよい。
このように、板状部材の穿孔の径や、ロール係合部材の円筒部の外径を設定すれば、シートを巻回した様々なサイズのロールを保管することができる。
【考案の効果】
【０００６】
本考案のロール保管具は、任意の大きさの板状部材にロール係合部材を立設させ、保管したいロールをそのロール係合部材の円筒部に縦に係合させればよいので保管スペースを取らず、また軽量で移動も容易なので、任意の場所で多数のロールを簡便に保管することができる。
【図面の簡単な説明】
【０００７】
【図１】図１は、第一の実施形態のロール保管具を示す平面図である。
【図２】図２は、第一の実施形態のロール保管具を示す正面図である。
【図３】図３は、第一の実施形態のロール保管具を示す底面図である。
【図４】図４は、第一の実施形態のロール係合部材を示す平面図及び正面図である。
【図５】図５は、第二の実施形態のロール保管具を示す平面図である。
【図６】図６は、第二の実施形態のロール保管具を示す正面図である。
【図７】図７は、第二の実施形態のロール保管具を示す底面図である。
【図８】図８は、第二の実施形態のロール係合部材を示す平面図及び正面図である。
【考案を実施するための形態】
【０００８】
[第一の実施形態]
以下に、本考案の第一の実施形態のロール保管具について説明する。
図１から図４は、第一の実施形態のロール保管具を示す図であり、図１は、第一の実施形態のロール保管具の平面図、図２は、第一の実施形態のロール保管具の正面図、図３は、第一の実施形態のロール保管具の底面図、図４は、ロール係合部材の平面図及び正面図である。
図１から図４に示すように、本実施形態のロール保管具１は、複数のロール係合部材１０と、複数の穿孔を有する板状部材２０とを備えている。
板状部材２０の複数の穿孔２１は、孔径が同一に構成され、その孔径は、ロール係合部材１０の外径と同等もしくは、少し大きくなっている。
ロール係合部材１０は、所定の長さの中空の円筒部１１と、その円筒部１１の一端１１aにおける外縁から突き出た円盤部１２とを有し、円筒部１１は、円盤部１２が形成された一端１１aにおける外径と他端11bにおける外径は、同一に構成されている。
ここで、本実施形態における板状部材２０は、アルミ板をプラスチック板で挟持した複合板が用いられ、またロール係合部材１０は、円筒部１１と円盤部１２とがプラスチックによって一体成型されているが、必ずしもこれらに限定されない。
本実施形態のロール保管具１は、板状部材２０の複数の穿孔２１それぞれにロール係合部材１０の円筒部１１を嵌着させ、板状部材２０の表面側に円筒部１１それぞれを突出させ、板状部材２０の穿孔２１それぞれの裏面側の外縁に円盤部１２を密着させて、ロール係合部材１０それぞれを板状部材２０に固定させて形成される。
ここで、本実施形態の円盤部１２は、穿孔２１の外縁に接着剤で接着され、ロール係合部材１０は板状部材２０に強固に固定されているが、板状部材２０の穿孔２１の孔径とロール係合部材１０の円筒部１１外径が同等であれば、必ずしも接着する必要はない。また、円筒部１１は、必ずしも中空である必要はないが、中空にすれば、ロール保管具１を軽量化することができる。
本実施形態のロール保管具１は、フィルム、紙、布、繊維などの各種の広幅シートが巻回されたロールの中空部を、板状部材２０の表面側に突き出たロール係合部材１０の円筒部１１にかぶせて係合させ、使用するが、必ずしも円筒部１１にかぶせる必要はなく、円筒部の中空部１１ｃに挿入して係合させ、使用することもできる。このようにロールを立てて保管することができるので、保管ペースが少なくてすむ。
【０００９】
[第二の実施形態]
次に、本考案の第二の実施形態のロール保管具について説明する。
図５から図８は、第二の実施形態のロール保管具を示す図であり、図５は、第二の実施形態のロール保管具の平面図、図６は、第二の実施形態のロール保管具の正面図、図７は、第二の実施形態のロール保管具の底面図、図８は、ロール係合部材の平面図及び正面図である。
図５から図８に示すように、本実施形態のロール保管具２は、外径の異なる、テーパーのついた複数のロール係合部材１５と、孔径の異なる複数の穿孔２６を有する板状部材２５とを備えている。
板状部材２５の複数の穿孔２６は、孔径が大小二種類あり、また、ロール係合部材１５も円筒部１６外径が大小二種類ある。そして、穿孔２６の二種類の孔径は、二種類の円筒部１６外径と同等もしくは、少し大きくなっている。ここで、本実施形態の孔径及び円筒部外径は、各二種類となっているが、必ずしも二種類である必要はなく、三種類以上にしてもよい。
ロール係合部材１５は、所定の長さの中空の円筒部１６と、その円筒部１６の一端１６aにおける外縁から突き出た円盤部１７とを有し、円筒部１６は、図８に示すように、円盤部１７が形成された一端１６aにおける外径が他端１６ｂにおける外径よりも大きくなるようにテーパーがついている。
本実施形態のロール保管具２は、板状部材２５の複数の穿孔２６それぞれにロール係合部材１５の円筒部１６を嵌着させ、板状部材２５の表面側２５aに円筒部１６それぞれを突出させ、板状部材２５の穿孔２６それぞれの裏面側２５ｂの外縁に円盤部１７を密着させて、ロール係合部材１５それぞれを板状部材２５に固定させて形成される。
ここで、本実施形態における板状部材２５は、アルミ板をプラスチック板で挟持した複合板を用いており、またロール係合部材１５は、プラスチックで、円筒部１６と円盤部１７とが一体成型されているが、必ずしもこれらの構成に限定されない。また、円盤部１７は、穿孔２６の外縁に接着剤で接着され、ロール係合部材１５は板状部材２５に強固に固定されているが、板状部材２５の穿孔２６の孔径とロール係合部材１５の円筒部１６外径が同等であれば、必ずしも接着する必要はない。
本実施形態のロール保管具２は、板状部材２５から突き出た円筒部１６径が大小二種類あるので、フィルム、紙、布、繊維などの各種の広幅シートが巻回されたロールの中空部径が大小二種類になっている場合にも対応できる。さらに、円筒部１６にテーパーがついているので、筒状体の中空部径が二種類以上ある場合にも、対応できる。
【００１０】
[第三の実施形態]
次に、本考案の第三の実施形態のロール保管具について説明する。
第三の実施形態のロール保管具は、例えばプラスチック又は金属の板状部材に、同じ材質の円筒部材を複数、接着、溶接又は一体成型して形成されたものであり、その平面図及び正面図は、ロール係合部材における円筒部径が均一な第一の実施形態のロール保管具を示す図１及び図２、あるいはテーパーつきの円筒部を有するロール係合部材を備えた第二の実施形態のロール保管具を示す図５及び図６と同様である。よって、図及び説明を省略する。
【産業上の利用可能性】
【００１１】
ロール係合部材の円筒部が中空である場合には、長尺の棒状体を保管する用途にも適用できる。
【符号の説明】
【００１２】
１、２    ロール保管具
１０、１５    ロール係合部材
１１、１６    円筒部
１１a、１６a    一端
１１b、１６ｂ    他端
１１c、１６ｃ    中空部
１２、１７    円盤部
２０、２５    板状部材
２０a、２５a  表面側
２０ｂ、２５ｂ  裏面側
２１、２６    穿孔
【図１】
0003165781.tif 000003
【図２】
0003165781.tif 000004
【図３】
0003165781.tif 000005
【図４】
0003165781.tif 000006
【図５】
0003165781.tif 000007
【図６】
0003165781.tif 000008
【図７】
0003165781.tif 000009
【図８】
0003165781.tif 000010